(57)【要約】【課題】簡単な構成で、就寝者に心地良い目覚めを得させることのできる光量調節機能付居室を提供する。【解決手段】人が就寝するための就寝空間２と、就寝空間２に接して設けられ太陽光や照明器具３によって照らされる窓部光空間４と、就寝空間２と窓部光空間４との間に配設され、就寝空間２で就寝している人の起床時刻に合わせて窓部光空間４内の光を就寝空間２へ導いて、就寝空間２内の明るさを調節する導光装置５とを備えた。【選択図】図１
2008280779.tif 000002
【特許請求の範囲】
【請求項１】
人が就寝するための就寝空間と、前記就寝空間に接して設けられ太陽光によって照らされる窓部光空間と、前記就寝空間と前記窓部光空間との間に配設され、就寝空間で就寝している人の起床時刻に合わせて窓部光空間内の光を就寝空間へ導いて、就寝空間内の明るさを調節する導光装置とを備えたことを特徴とする光量調節機能付居室。
【請求項２】
前記窓部光空間は屋根に設けられ、上部に天窓を有することを特徴とする請求項１に記載の光量調節機能付居室。
【請求項３】
前記窓部光空間は出窓に設けられていることを特徴とする請求項１に記載の光量調節機能付居室。
【請求項４】
前記窓部光空間には、当該窓部光空間内を照らす照明器具が設けられていることを特徴とする請求項１〜３のいずれか一項に記載の光量調節機能付居室。
【請求項５】
前記導光装置はスクリーンまたはブラインドを有し、前記就寝空間で就寝している人の起床時刻に合わせて前記スクリーンまたはブラインドを駆動して、前記就寝空間への光量を増加させていくことを特徴とする請求項１〜４のいずれか一項に記載の光量調節機能付居室。
【請求項６】
人が就寝するための就寝空間と、前記就寝空間に接して設けられた窓部光空間との間に配設され、スクリーンまたはブラインドを有し、前記就寝空間で就寝している人の起床時刻に合わせて前記スクリーンまたはブラインドを駆動することにより、太陽光によって照らされた前記窓部光空間内の光を前記就寝空間へ導いて、当該就寝空間内の照度を増加させていくことを特徴とする導光装置。
【請求項７】
請求項１〜５のいずれか一項に記載の光量調節機能付居室、又は請求項６に記載の導光装置を備えたことを特徴とする建物。
【発明の詳細な説明】
【技術分野】
【０００１】
本発明は、人の起床時刻に合わせて寝室内の明るさを調節する光量調節機能付居室に関する。
【背景技術】
【０００２】
従来より、寝室で就寝していた人つまり就寝者の覚醒度を上げるためには、寝室内の照度（光量）を制御するのが効果的である。例えば、就寝者の起床時刻に合わせて、寝室内の照度を低照度から中照度へと緩やかに増加させ、その後、中照度から高照度へと急速に増加させることで、就寝者に心地良い目覚めを得させることができる。
【０００３】
このように寝室内の照度を二段階に制御する装置として、就寝者の起床時刻前から寝室内の照明器具を点灯させて、その照明器具の光度を緩やかに増加させていき、照明器具の光度が１００％に達したら、窓のカーテンを開駆動するようにした光量調節機能付居室が提案されている（例えば、特許文献１参照）。
【特許文献１】特開２００５−３３９９９８号公報
【発明の開示】
【発明が解決しようとする課題】
【０００４】
しかしながら、上記従来の技術では、窓が最適な方位に配置されていない場合は、当該窓を介して寝室内に入射する光の照度が照明器具による照度よりも低い場合があり、これでは窓のカーテンを開駆動しても、寝室内はあまり明るくはならない。
【０００５】
また、照明器具の光度を制御するための制御機構と、窓のカーテンを駆動するための制御機構とが必要となって、構成が複雑化する。
【０００６】
本発明の課題は、簡単な構成で、就寝者に心地良い目覚めを得させることのできる光量調節機能付居室を提供することにある。
【課題を解決するための手段】
【０００７】
上記課題を解決するために、請求項１に記載の発明は、人が就寝するための就寝空間と、前記就寝空間に接して設けられ太陽光によって照らされる窓部光空間と、前記就寝空間と前記窓部光空間との間に配設され、就寝空間で就寝している人の起床時刻に合わせて窓部光空間内の光を就寝空間へ導いて、就寝空間内の明るさを調節する導光装置とを備えたことを特徴としている。
【０００８】
上記構成によれば、人が就寝するための就寝空間と、太陽光によって照らされる窓部光空間とを用意しておき、就寝者の起床時刻に合わせて、例えば就寝者の起床時刻の３０分前には太陽光によって窓部光空間内の照度を高めておいて、その後、就寝者の起床時刻に近付くにつれて、導光装置が駆動して窓部光空間内の光を就寝空間へ導いて、就寝空間内を明るくしていくとともに、就寝者の起床時刻に就寝空間内の照度を最高レベルまで引き上げる。
【０００９】
請求項２に記載の発明は、請求項１において、前記窓部光空間は屋根に設けられ、上部に天窓を有することを特徴としている。
【００１０】
請求項３に記載の発明は、請求項１において、前記窓部光空間は出窓に設けられていることを特徴としている。
【００１１】
請求項４に記載の発明は、請求項１〜３のいずれか一項において、前記窓部光空間には、当該窓部光空間内を照らす照明器具が設けられていることを特徴としている。
【００１２】
請求項５に記載の発明は、請求項１〜４のいずれか一項において、前記導光装置はスクリーンまたはブラインドを有し、前記就寝空間で就寝している人の起床時刻に合わせて前記スクリーンまたはブラインドを駆動して、前記就寝空間への光量を増加させていくことを特徴としている。
【００１３】
請求項６に記載の発明は導光装置の発明であり、人が就寝するための就寝空間と、前記就寝空間に接して設けられた窓部光空間との間に配設され、スクリーンまたはブラインドを有し、前記就寝空間で就寝している人の起床時刻に合わせて前記スクリーンまたはブラインドを駆動することにより、太陽光によって照らされた前記窓部光空間内の光を前記就寝空間へ導いて、当該就寝空間内の照度を増加させていくことを特徴としている。
【００１４】
請求項７に記載の発明は建物の発明であり、請求項１〜５のいずれか一項に記載の光量調節機能付居室、又は請求項６に記載の導光装置を備えたことを特徴としている。
【発明の効果】
【００１５】
請求項１に記載の発明によれば、起床時刻前から就寝空間は徐々に明るくなって、起床時刻には十分に明るくなるので、就寝者に心地良い目覚めを得させることができる。この場合、就寝空間に導かれる光が太陽光であるから、就寝者にとっては生理的・感覚的に好ましく、また就寝者に高照度の光を提供できる。さらに、制御機構としては導光装置を制御する装置を設けるだけでよいから、構成が簡単な光量調節機能付居室を実現することができる。
【００１６】
請求項２に記載の発明によれば、天井側から太陽光を受けられるので、屋根がない場合のようなより自然な目覚めが可能となる。
【００１７】
請求項３に記載の発明によれば、太陽光が横から入射して就寝者の周囲の壁等が照らされることにより、就寝空間が自然な明るさとなり、就寝者は爽快な目覚めを体得することができる。
【００１８】
請求項４に記載の発明によれば、曇りや雨の場合、太陽光だけでは窓部光空間内が十分に明るくならないときは、照明器具を点灯させることにより、窓部光空間内を十分に明るくすることができる。
【００１９】
請求項５に記載の発明によれば、スクリーンまたはブラインドを駆動して就寝空間への光量を増加させていくことにより、就寝空間内を段階的に明るくしていくことができる。
【００２０】
請求項６に記載の発明によれば、請求項５と同様な効果を得ることができる。
【００２１】
請求項７に記載の発明によれば、簡単な構成の導光装置を有し、かつ就寝者に心地良い目覚めを得させることのできる建物を実現できる。
【発明を実施するための最良の形態】
【００２２】
以下、本発明の実施例を図面に従って説明する。
【実施例１】
【００２３】
図１は、本発明に係る光量調節機能付居室１の要部構成を示している。この光量調節機能付居室１は、人が就寝するための就寝空間２と、就寝空間２の上部に設けられ太陽光や照明器具３によって照らされる窓部光空間４と、就寝空間２と窓部光空間４との間に配設され、就寝空間２で就寝している人の起床時刻に合わせて窓部光空間４内の光を就寝空間２へ導いて、就寝空間２内の明るさを調節する導光装置５とを備えている。
【００２４】
就寝空間２の上部には傾斜屋根６が設けられ、この傾斜屋根６に、天窓７を有する窓部光空間４が設置されている。すなわち、天窓７は正面から見て矩形を成しており、傾斜屋根６には天窓７の形状に倣って矩形状の開口部６Ａが形成され、この開口部６Ａに天窓７が嵌め込まれている。また、開口部６Ａの下方には開口部６Ａの形状に倣って矩形状の枠体８が設けられている。そして、天窓７及び枠体８で囲まれた空間が窓部光空間４となっている。
【００２５】
就寝空間２と窓部光空間４との間に配設された導光装置５は、スクリーン９と、このスクリーン９を駆動する駆動装置１０とを含んでいる。このうち、スクリーン９は、枠体８で囲まれた窓部光空間４の開口部に配置され、また駆動装置１０はスクリーン９の斜め上方に配置されている。駆動装置１０にはタイマが内蔵され、このタイマに起床時刻を設定しておけば、その起床時刻の例えば３０分前に、駆動装置１０は駆動を開始してスクリーン９を段階的に上昇させるようになっている。
【００２６】
スクリーン９はその両側端がガイドレール（図示省略）によって支持され、下方に垂れ下がらないようになっており、駆動装置１０によって、矢印Ａ１方向に巻き上げられたり、矢印Ａ２方向に巻き戻されたりする。
【００２７】
窓部光空間４内には照明器具３が設けられている。また、窓部光空間４の内壁面つまり枠体８の内面には、反射率の高い素材が塗布または反射率の高い素材からなる反射部材が貼付されている。これにより、太陽光や照明器具３による光によって光空間４内を効果的に明るくすることができる。さらに、窓部光空間４内に太陽光を効率よく取り込むために、天窓７の下方にはブラインド１１が設けられている。
【００２８】
照明器具３は照度センサ付きの補助照明であり、冬場など夜明け前の起床時に利用される。すなわち、冬場は日が昇るのが遅いため、起床時刻に合わせて（例えば、起床時刻の３０分前に）照明器具３が作動するよう予めタイマをセットしておけば、夜明け前であっても照明器具３によって窓部光空間４内を明るくしておくことができる。なお、照明器具３は必須の構成要素ではなく、用いない場合は無くてもよい。
【００２９】
就寝空間２に窓がある場合、当該窓にはシャッタや遮光性の高いカーテン等を設けておく必要がある。
【００３０】
次に、本実施例による光量調節機能付居室１の作用について説明する。
【００３１】
先ず、夏場等で夜明けが早く、照明器具３を用いない場合について説明する。このときの動作手順を図３に示す。就寝者は就寝する前に、駆動装置１０に内蔵されたタイマに起床時刻を予め設定しておく（ステップＳ１１）。なお、就寝者はベッド１２（図２参照）の上で就寝しており、スクリーン９は最も下側に降下されているものとする。また、窓部光空間４には天窓７（図１参照）を介して太陽光が入射しており、窓部光空間４内は十分に明るくなっている。
【００３２】
起床設定時刻の３０分前になると、図２（ａ）に示すように、駆動装置１０が起動して、スクリーン９を１０％だけ上昇させる（ステップＳ１２）。このとき、スクリーン９の下側から窓部光空間４内の光が就寝空間２内に入射するが、スクリーン９が１０％上昇しただけで、つまり透過率が１０パーセントであるから、就寝空間２内はまだあまり明るくはならない。
【００３３】
起床設定時刻の１０分前になると、図２（ｂ）に示すように、駆動装置１０が再度起動して、スクリーン９を８０％上昇させる（ステップＳ１３）。スクリーン９が８０％上昇したときは、窓部光空間４から就寝空間２へ入射する光の透過率は８０パーセントとなり、就寝空間２内はかなり明るくなる。
【００３４】
起床設定時刻の０分前（つまり起床時刻）になると、図２（ｃ）に示すように、駆動装置１０が再度起動して、スクリーン９を１００％上昇させる（ステップＳ１４）。スクリーン９が１００％上昇したときは、窓部光空間４から就寝空間２へ入射する光の透過率は１００パーセントとなり、就寝空間２内は非常に明るくなる。
【００３５】
次に、冬場等で夜明けが遅く、照明器具３を併用する場合について説明する。このときの動作手順を図４に示す。就寝者は就寝する前に、駆動装置１０に内蔵されたタイマに起床時刻を予め設定しておく（ステップＳ２１）。
【００３６】
起床設定時刻の３０分前になると（ステップＳ２２）、照明器具３に内蔵された照明センサが窓部光空間４内の照度を検出する。そして、窓部光空間４内の照度が１００lx(ルクス)以下であるか否か判断され（ステップＳ２３）、１００lx(ルクス)以下の場合は照明器具３をＯＮ（ステップＳ２４）にして窓部光空間４内を所定値以上の照度にした後、ステップＳ２５へ進む。窓部光空間４内の照度が１００lx(ルクス)を超えている場合は、照明器具３をＯＮにせず、そのままステップＳ２５へ進む。
【００３７】
そして、図２（ａ）に示すように、駆動装置１０が起動して、スクリーン９を１０％だけ上昇させる（ステップＳ２５）。このとき、スクリーン９の下側から窓部光空間４内の光が就寝空間２内に入射するが、スクリーン９が１０％上昇しただけで、つまり透過率が１０パーセントであるから、就寝空間２内はまだあまり明るくはならない。
【００３８】
起床設定時刻の１０分前になると、図２（ｂ）に示すように、駆動装置１０が再度起動して、スクリーン９を８０％上昇させる（ステップＳ２６）。スクリーン９が８０％上昇したときは、窓部光空間４から就寝空間２へ入射する光の透過率は８０パーセントとなり、就寝空間２内はかなり明るくなる。
【００３９】
起床設定時刻の０分前（つまり起床時刻）になると、図２（ｃ）に示すように、駆動装置１０が再度起動して、スクリーン９を１００％上昇させる（ステップＳ２７）。スクリーン９が１００％上昇したときは、窓部光空間４から就寝空間２へ入射する光の透過率は１００パーセントとなり、就寝空間２内は非常に明るくなる。
【００４０】
以上のように、本実施例によれば、照明器具３を併用する場合も併用しない場合も、就寝者の起床時刻に合わせてスクリーン９を段階的に上昇させることにより、就寝空間２内の照度が段階的に高められ、就寝者は心地良い寝覚めを得ることができる。特に、太陽光を就寝空間２に取り込むことで、就寝していた人の覚醒度を高めることができる。一般に覚醒度を高めるには、就寝者の顔付近で２００lx(ルクス)以上の照度が好ましいことが分かっているが（特開平７−３１８６７０号公報参照）、本実施例では２００lx(ルクス)以上の照度を実現できる。
【００４１】
また、太陽光の取り込みが可能なときは照明器具３はＯＮされないので、その分、電気代を節約できる。
【００４２】
また、制御機構としてはスクリーン９を制御する駆動装置１０を設けるだけでよいから、構成が簡単な光量調節機能付居室を実現することができる。
【００４３】
さらに、傾斜屋根６に天窓７を設けたので、太陽光を効果的に窓部光空間４内に取り入れることができる。
【００４４】
また、導光装置５としては、スクリーン９及び駆動装置１０の代わりに、ブラインド及びこのブラインドの角度を変える駆動装置を用いてもよい。
【実施例２】
【００４５】
図５及び図６は実施例２を示している。本実施例では、窓部光空間２０として、就寝空間２の出窓２１が利用されている。すなわち、就寝空間２の側部には出窓２１が設置され、この出窓２１と就寝空間２との間に導光装置５が設けられている。なお、出窓２１は就寝空間２の南側に配置されている。
【００４６】
導光装置５は、実施例１で示したようなスクリーン９と駆動装置１０（共に図１参照）とを含んでいる。ただ、本実施例では、スクリーン９は上下方向に張られ、そして上下方向に移動する。
【００４７】
また、窓部光空間２０には、その外側に窓２２が取り付けられ、この窓２２の内側にブラインド２３が設けられている。このブラインド２３は、太陽光を窓部光空間２０内に効率よく取り込むためのものである。
【００４８】
また、窓部光空間２０には、照度センサ付の照明器具２４が設けられ、さらに、窓部光空間２０の内壁面には反射率の高い反射部材が取り付けられている。
【００４９】
就寝空間２に窓がある場合、当該窓にはシャッタや遮光性の高いカーテン等を設けておく必要がある。
【００５０】
本実施例の場合も、実施例１と同様に、就寝者の起床時刻に合わせてスクリーン９を巻き上げていくことにより、就寝空間２の明るさを段階的に明るくしていくことができ、就寝者に心地良い目覚めを得させることができる。
【００５１】
なお、本実施例の場合も、スクリーン９及び駆動装置１０の代わりに、ブラインド及びこのブラインドの角度を変える駆動装置を用いてもよい。
【図面の簡単な説明】
【００５２】
【図１】実施例１による光量調節機能付居室の要部構成図である。
【図２】スクリーンが巻き上げられていく様子を示しており、（ａ）は起床設定時刻３０分前の状態を示す図、（ｂ）は起床設定時刻１０分前の状態を示す図、（ｃ）は起床設定時刻０分前の状態を示す図である。
【図３】照明器具を用いないときのスクリーンの動作手順を示すフローチャートである。
【図４】照明器具を併用したときのスクリーンの動作手順を示すフローチャートである。
【図５】実施例２による光量調節機能付居室の内部側面図である。
【図６】図５の光量調節機能付居室の内部平面図である。
【符号の説明】
【００５３】
１  光量調節機能付居室
２  就寝空間
３  照明器具
４  窓部光空間
５  導光装置
７  天窓
９  スクリーン
１０  駆動装置
２０  窓部光空間
２１  出窓
２２  窓
２４  照明器具
【図１】
2008280779.tif 000003
【図２】
2008280779.tif 000004
【図３】
2008280779.tif 000005
【図４】
2008280779.tif 000006
【図５】
2008280779.tif 000007
【図６】
2008280779.tif 000008